(57)【要約】      （修正有）【課題】関節等の身体部位での伸縮に対応でき、このため、身体部位に装着して使用しているときに位置ズレが起こり難く、さらに腰部とつま先部分への適用により、冷え性に対応できると共に、前記凸状部に収縮方向が強くなる伸縮する糸が配されていなくとも、これらの対応が可能な身体用バンドを提供する。【解決手段】腰から左右の膝下にかけての身体部位に装着して使用される身体用バンドであって、少なくとも腰と左右の膝の箇所は、筒状の伸縮性を有する編物に伸縮性を補う凸状部３が所定箇所を表面側に隆起させることで形成され、身体用バンド全体を伸張した状態では、所定間隔をおいて凸状部３と凹状部４が交互に表れ、伸張状態を解除すると、隆起した凸状部３と凸状部３が接触してそれ以上には収縮しない構造になっている。【選択図】図２
0003173337.tif 000002
【実用新案登録請求の範囲】
【請求項１】
腰から左右の膝下にかけての身体部位に装着して使用される身体用バンドであって、少なくとも腰と左右の膝の箇所は、筒状の伸縮性を有する編物に伸縮性を補う凸状部が所定箇所を表面側に隆起させることで形成され、腰と左右の膝の箇所を伸張した状態では、所定間隔をおいて凸状部と凹状部が交互に表れ、伸張状態を解除すると、隆起した凸状部と凸状部が接触してそれ以上には収縮しない構造になっていることを特徴とする身体用バンド。
【請求項２】
腰から左右の膝を介して左右の足にかけての身体部位に装着して使用される身体用バンドであって、少なくとも腰と左右の膝と左右の足首の箇所は、筒状の伸縮性を有する編物に伸縮性を補う凸状部が所定箇所を表面側に隆起させることで形成され、腰と左右の膝と左右の足首の箇所を伸張した状態では、所定間隔をおいて凸状部と凹状部が交互に表れ、伸張状態を解除すると、隆起した凸状部と凸状部が接触してそれ以上には収縮しない構造になっていることを特徴とする身体用バンド。
【請求項３】
膝上から足首を介してつま先を覆う身体部位に装着して使用される身体用バンドであって、少なくとも膝と左右の足首の箇所は、筒状の伸縮性を有する編物に伸縮性を補う凸状部が所定箇所を表面側に隆起させることで形成され、膝と左右の足首の箇所を伸張した状態では、所定間隔をおいて凸状部と凹状部が交互に表れ、伸張状態を解除すると、隆起した凸状部と凸状部が接触してそれ以上には収縮しない構造になっていることを特徴とする身体用バンド。
【請求項４】
前記凹凸構造は、全体の編地としての凹状部に重ね合わせるように凸状部が所定間隔で設けられて形成されていることを特徴とする請求項１ないし３のいずれか１項記載の身体用バンド。
【請求項５】
前記伸縮性の編物の一方側端部の筒状開口部側が前記凸状部として設けられるとともに、この凸状部の近傍位置に切れ込みが周方向に沿って部分的に形成されていることを特徴とする請求項１ないし３のいずれか１項記載の身体用バンド。
【請求項６】
前記切れ込みは、前記凹状部に形成されていることを特徴とする請求項５記載の身体用バンド。
【考案の詳細な説明】
【技術分野】
【０００１】
本考案は、腰部から膝にかけて、さらに膝を介して足首やつま先にかけての身体部位に装着して使用される身体用バンドに関する。
【背景技術】
【０００２】
従来、膝、脹脛や肘等の身体部位に用いる身体用バンドとしては、伸縮性を有する糸を使用して筒状に形成したものが広く利用されている（例えば特許文献１）。本願出願人も、内部が中空で円環状の伸縮自在な編物、つまりヘッドバンド、ヘアーバンド、リストバンド、アームバンド、レッグバンド（レッグウオーマー）、ウエストバンド、サポータ、腹巻き、襟巻き等になる、身体の手首、足首、肘、膝、首等の身体部位に装着して使用される身体用バンドの特許出願等をしている（例えば特許文献２、３）。また、伸縮性を有する糸を使用したストッキング（腰部にまで及ぶストッキングを含む。）やタイツも広く利用されている。
【０００３】
しかしながら、従来から使用されている一般的な筒状の身体用バンドは、上記身体部位に使用された場合、各部位の伸縮に対応しきれず、最初の装着位置から徐々にずれてしまうことがほとんどであった。例えば、膝に筒状の身体用バンドを使用した状態で、膝を屈伸させたとき、膝の表側（膝頭側）は伸張し、逆に裏側は収縮することになる。このため、身体用バンド の膝の表側部分と裏側部分では伸縮方向が逆になり、膝の屈伸運動に付いていけなくなる。この結果、身体用バンドの膝の表側部分は身体部位の伸張についていけず当初位置からずれてしまい、逆に裏側部分は、収縮についていけず、当初位置からずれてしまうこととなる。このような問題は、膝や肘等の屈伸可能な身体部位だけでなく、手首、足首の伸張する部分と収縮する部分が同時に現れる身体部位に上記身体用バンド を適用する場合に共通したものである。この問題に対処する方法としては、身体用バンド の構成糸に伸縮性の極めて優れた糸を使用する、或いは、身体の接触面との摩擦力を高めるため、摩擦係数の高い糸を使用する等の方法が考えられる。しかしながら、これらの方法では、身体用バンド に適用できる糸が限定されてしまい、また、その製造コストも上昇してしまうことになる。
【０００４】
また、従来の身体用バンドでは、その構成糸として同色の糸を用いて製織されたものが多い。これは、一律な伸縮性能を確保するためと、多色の糸を使用した際のコストを嫌ってのことであるが、同色の身体用バンドのみでは、ファッション的な刺激に乏しく、需要者の購買意欲を満たしているとは言えなかった。また、従来の模様を施したものでは、それを伸縮させたとき模様が異なる部分に応じた伸縮性が得られず、模様が間延びするような事態が生じていた。
【０００５】
そこで、本願出願人は、関節等の身体部位での伸縮に対応でき、このため、身体部位に装着して使用しているときに位置ズレが起こり難く、さらに簡易な手袋等としても使用可能で模様の変化を引き起こす身体用バンドを既に提供している。
【先行技術文献】
【特許文献】
【０００６】
【特許文献１】特開２００２−３０５０５号公報
【特許文献２】特開平１１−６１５２８号公報
【特許文献３】登録実用新案第３０６２４５６号公報
【特許文献４】特許第４１１７３０３号公報
【考案の開示】
【考案が解決しようとする課題】
【０００７】
しかしながら、上記許第４１１７３０３号公報では、関節等の身体部位での伸縮には対応できるが（縦方向のずれに対応することができるが）、手首、足首、肘、膝の身体部位に、部分的に装着して使用されることから、横方向のずれに対しては対応できているとは言えなかった。これに対しては、上記許第４１１７３０３号公報では、前記筒状の伸縮性の編物の両端が前記凸状部として設けられるとともに、この両端の凸状部に収縮方向が強くなる伸縮する糸が配されていることで対応するが、これのみでは十分なずれ対策にならないことも生じ得る。
【０００８】
ところで、本願出願人は、上記特許第４１１７３０３号公報の身体用バンドは、その凹凸状構造から身体の保温にも効果を発揮することが明らかになってきた。この考えに基づき、本願考案者は身体の冷え性の改善の融合を図れないものとか、研究を重ねるとともに、身体用バンドの製造の仕方を工夫する研究を重ねたところ、腰部への適用とつま先部分への適用を思いつき、かつ、上記ずれ対策も工夫して本願完成するに至った。
【０００９】
そこで、本考案の目的は、関節等の身体部位での伸縮に対応でき、このため、身体部位に装着して使用しているときに位置ズレが起こり難く、さらに腰部とつま先部分への適用により、冷え性に対応できると共に、前記凸状部に収縮方向が強くなる伸縮する糸が配されていなくとも、これらの対応が可能な身体用バンドを提供することにある。
【課題を解決するための手段】
【００１０】
本考案の身体用バンドは、筒状の伸縮性を有する編物に伸縮性を補う凸状部が所定箇所を表面側に隆起させることで形成され、腰や膝や足首を伸張した状態では、所定間隔をおいて凸状部と凹状部が交互に表れ、伸張状態を解除すると、隆起した凸状部と凸状部が接触してそれ以上には収縮しない構造になっている。そして、腰から左右の膝下にかけての身体部位に装着して使用される身体用バンドであって、少なくとも腰と左右の膝の箇所、或いは、腰から左右の膝を介して左右の足にかけての身体部位に装着して使用される身体用バンドであって、少なくとも腰と左右の膝と左右の足首の箇所、又は、膝上から足首を介してつま先を覆う身体部位に装着して使用される身体用バンドであって、少なくとも膝と左右の足首の箇所に、上記構造を採用する。ここで、本考案の身体用バンドは、ストッキング（腰部にまで及ぶストッキングを含む。）やタイツにそのまま適用できる。
【００１１】
この考案によれば、筒状の伸縮性を有する編物に伸縮性を補う凸状部が所定間隔をおいて設けられているため、身体部位において、収縮部分と伸張部分が同時に現れても、編物本来の伸縮性に加えて凸状部が更にその伸縮性を補うため、十分に身体部位の伸縮に対応することができ、身体部位に対して位置ずれ難いものとなる。一方、身体部位の収縮部分では、この収縮に合わせて身体用バンドも収縮するが、上記凸状部と凸状部との接触によってそれ以上の収縮は生じがたくなる。このため、凹状部の身体部位との接触位置をずらすことがない。また、この考案によれば、上記凸状部が、筒状の伸縮性を有する編物の所定箇所を表面側に隆起させることで形成されるため、身体部位の伸張部分では、この伸張に合わせて上記凸状部の隆起が直線形状（平坦な形状に）に変形する一方、身体部位の収縮部分では、この収縮に合わせて上記凸状部が更に隆起するように変形する。このように、上記編物本来の伸縮に加えて、身体部位の伸縮に合わせて上記凸状部が変形することで、身体部位の伸縮に十分に対応することができ、ずれが生じ難くなる。
【００１２】
そして、腰から膝にかけて、腰から膝を介してつま先まで、又は、膝上から足首を介してつま先までというように、長手方向に延長したことから、冷え性に対応できると共に、前記凸状部に収縮方向が強くなる伸縮する糸が配されていなくとも、横方向のずれが生じ難くなった。
【００１３】
本考案としては、前記伸縮性の編物の一方側端部の筒状開口部側が前記凸状部として設けられるとともに、この凸状部の近傍位置に切れ込みが周方向に沿って部分的に形成されていることが好ましい。これにより、全体の長手方向の伸縮力を発揮させながら所定間隔の凸状部と凸状部とを接近させるようにもなる。
【００１４】
本考案としては、前記伸縮性の編物の一方側端部の筒状開口部側が前記凸状部として設けられるとともに、この凸状部の近傍位置に切れ込みが周方向に沿って部分的に形成されていることが好ましい。
この考案によれば、前記凸状部として設けられるとともに、この凸状部の近傍位置に切れ込みが周方向に沿って部分的に形成されていることから、前記一方側端部を前記切り込みを介して引っ張るようにすると、身体に対する固定位置を異ならせることができ、前記一方端部を編物の両端での凸状部の位置ずれを更に強化することができる。
【００１５】
本考案としては、前記切れ込みは、前記凹状部に形成されていることが好ましい。
本考案によれば、前記切り込みが凹形部に形成されていることから、外部から切れ込み部が認識し難くなる。
【考案の効果】
【００１６】
本考案によれば、腰から膝にかけて、腰から膝を介してつま先まで、又は、膝上から足首を介してつま先までというように、長手方向に延長したことから、冷え性に対応できると共に、前記凸状部に収縮方向が強くなる伸縮する糸が配されていなくとも、横方向のずれが生じ難くすることが可能となる。また、前記凸状部として設けられるとともに、この凸状部の近傍位置に切れ込みが周方向に沿って部分的に形成されていることから、前記一方側端部を前記切り込みを介して引っ張るようにすると、身体に対する固定位置を異ならせることができ、前記一方端部を編物の両端での凸状部の位置ずれを更に強化することができ、前記切り込みが凹形部に形成されていることから、外部から切れ込みが認識し難くなる。
【図面の簡単な説明】
【００１７】
【図１】本考案の基本的な構造（部分構造）を示す斜視図である。
【図２】上記基本的な構造の使用状態での断面図であり、（ａ）は、身体部位が伸縮していないときの上記実施の形態の断面図であり、（ｂ）は、身体部位が伸張しているときの上記実施の形態の伸張部分での断面図であり、（ｃ）は、身体部位が収縮しているときの上記実施の形態の収縮部分での断面図である。
【図３】本考案の第１の実施の形態の使用状態を示す斜視図である。
【図４】本考案の第２の実施の形態を示す図であり、（ａ）はその正面図であり、（ｂ）はその背面図である。
【図５】上記第の実施の形態の使用状態を示す側面図である。
【図６】本考案の第３の実施の形態を示す図であり、（ａ）はその正面図であり、（ｂ）はその背面図である。
【図７】上記各実施の形態の他の例の使用状態を示す斜視図である。
【図８】上記各実施の形態の丸編み状態を示す拡大図であり、内側から写真撮影したものである。
【考案を実施するための形態】
【００１８】
以下、本考案の実施の形態について図面を参照しながら説明する。
【００１９】
本考案の実施の形態の身体用バンド１Ａ，１Ｂ，１Ｃの基本構造Ｚは、図１の部分斜視図に示すように、筒状の伸縮性を有する編物に伸縮性を補う凸状部３が所定箇所に設けられ、凸状部３と凸状部３の間は凹状部４が設けられ、凸状部３と凹状部４が交互に設けられている基本構造Ｚである。
【００２０】
凹凸状の編物は、伸縮性を有する糸を一般的な緯編み機や複数本の編み棒等を用いて丸編みすることで形成される。具体的には、表面が裏目編みとなるように、凹凸状の外周方向に沿って１段ずつ編んでいくことで形成される。ここで、凹凸状の編物を得るために、上記丸編みを使用せず、平面形状に編みあげた編物の両端部を結合させて、筒形状としてもよい。本実施の形態では、伸縮性を有する糸として毛糸を使用しているが、他の糸を使用してもよく、又、トルマリン、ゲルマニウムの繊維やゴム糸等を使用すると、ヘルス効果のある身体用バンドとなり、その用途が広がることとなる。
【００２１】
平面形状の編物には、所定間隔ごとに、伸縮性を有する糸が所定幅重ね編みされる。すなわち、平面形状の編物の表面から、伸縮性を有する糸（毛糸）を凹凸状の外周方向に沿って１段ずつ裏目編みしながら編み重ねていき、所定幅編み重ねた時点で、所定間隔離れた次の箇所に移り同様の作業を繰り返す。伸縮性を有する糸（毛糸）は、複数本を束ねるように使用されるものでも良い。このようにすると、平面形状の編物のうち、表面から重ね編みされた部分には、表面から重ね合わされた糸によって常に外側に引っ張られる力が働くことになる。このため、平面形状の編物に外部から力が加わっていない状態では、上記重ね編みされた部分が、外側に向かって隆起し、凸状部３を形成され、凸状部３と凸状部３との谷間部分に凹状部４が設けられた身体用バンドＺが製造される。ここで、凸状部３の幅をどうするか、或いは、その個数や配置間隔をどうするかは、重ね合わされる糸の範囲を変更することで任意に調整可能である。例えば、等間隔にしても良く、順次間隔が広くなったり狭くなったりするものでもよい。また、重ね合わせる糸の色を変化させることで、各凸状部の色を自在に調節できるので、糸が重ね合わされない部分の編物の色と合わせて、模様の変化を引き起こすファッション性に優れた身体用バンドＺを得ることができる。
図８は、基本構造Ｚの筒状の内側から拡大して写真撮影した図であるが、黒色の糸ａで凹状部４と凹状部４が編成され、これらの凹状部４と凹状部４の間の凸状部３にも黒色の糸ａが所定間隔で丸編みで編まれている。すなわち、細い経糸ａが全体的に配され、その所定間隔をおいて太い緯糸により更に凸状部３が細い黒の経糸ａと重なり合って（ループを組んで）凸になり、その結果凹状部４が黒として認識できる。これにより、凸状部３と凸状部３とが接触し易くなっている。そして、黒色の凹状部４と凸状部３の糸の伸縮力をこれら相互間で変更することができる。例えば、黒色の凹状部４を凸状部３３の糸の伸縮力よりも強くしたり弱くしたり（強くしたほうが緑色の凸状部３や黄色の凸状部３が接触し易くなる。）、又、一方の凸状部３を凹状部４を介して隣接する凸状部３の糸の伸縮力よりも強くしたり弱くしたりすることで、伸縮力に差を設けることが可能である。また、本実施の形態では、凸状部３の幅を黒色の凹状部４の幅よりも広くして、隣接する凸状部３と凸状部３が接触し易くしている。
【００２２】
本実施の形態では、筒状の伸縮性の編物に伸縮性の異なる凸状部３が所定間隔をおいて設けられ、この基本構造Ｚ全体を伸張した状態では所定間隔をおいて凸状部３が表れ（凸状部３と凹状部４が交互に表れ）、伸張状態を解除すると凸状部３のみが連続するように表れる。つまり、収縮した場合でも、隆起した凸状部３と凸状部３が接触して、それ以上には収縮しない構造になっている。また、筒状の伸縮性の編物の両端が上記凸状部３ａとして設けられ、身体の腰部や膝上や膝下に装着させたとき、両端の凸状部３ａがストッパとして機能し、ずれにくく作用するが、更に、その一方端部（腰部側の上端部）の凸状部３ａがストッパとして機能を発揮させるために、凹状部４に切り込み４ａが形成されていることが好ましい。なお、上記凸状部３ａは、他の凸状部３よりも広幅にしたり、その表面にウレタン樹脂の滑り止めを施しても良い。
【００２３】
図２（ａ）、（ｂ）、（ｃ）は、基本構造Ｚを膝等の身体部位に使用した際の身体用バンド１の断面図である。まず、基本構造Ｚを膝に装着するとき（図２）、基本構造Ｚの表面には、凸状部３が所定間隔おきに現れている。凸状部３の内面３ｂは、凸状部３の隆起のため浮き上がった状態となっており、身体部位とは接触していない。
【００２４】
基本構造Ｚを身体部分に装着した状態で、膝を徐々に屈伸させていくと、膝の表側（膝頭側）は伸張し、逆に裏側は収縮することになる。このとき、基本構造Ｚの膝の表側部分では、身体部位に直接接触している凹状部４が身体部位との摩擦力によって伸張方向に引っ張られる。凹状部４が引っ張られると、その引張り力は凸状部３にも伝達され、凹状部４が伸張する前段階で、凸状部３の隆起した形状が、略直線形状（平坦形状）へと変化していく（図２（ｂ））。これによって、凹状部４の身体部位との接触位置をずらすことなく、ある程度の身体部位の伸張に対応することができる。そして、凸状部３が直線形状へと変化し身体部位と接触した後に、更に身体部位の伸張が続く場合は、今度は、凹状部４の伸張と凸状部３の伸張が開始する。このように、編物の伸縮性、つまり凸状部３と凹状部４の伸縮性に加え、凸状部３の変形がこれらの伸縮性を補うことにより、従来の身体用バンドのように、身体部位の伸張についていけず、当初の装着位置からずれてしまうといった問題を解消できる。
【００２５】
膝の屈伸をすると、膝の表側（膝頭側）が伸張するのと同時に、膝の裏側は収縮する。このとき、基本構造Ｚの膝の裏側部分では、身体部位に直接接触している凹状部４が身体部位との摩擦力によって伸縮方向に引っ張られる。凹状部４が引っ張られると、その引張り力は凸状部３にも伝達され、凸状部３の隆起した形状が、更に隆起するように変化していく（図２（ｃ））。身体部位の収縮部分では、この収縮に合わせて基本構造Ｚも収縮するが、上記凸状部３と凸状部３との接触によってそれ以上の収縮は生じ難くなる（収縮状態は一定位置で停止する）。これによって、凹状部４の身体部位との接触位置をずらすことなく、ある程度の身体部位の収縮に対応することができる。すなわち、膝等の関節の動きに合わせて伸び縮みして、締め付けることなくずれ難い。この結果、従来の身体用バンドのように、身体部位の収縮についていけず、当初の装着位置からずれてしまうといった問題を解消できる。
【００２６】
本実施の形態の基本構造Ｚは、図３に示す第１の実施の形態の身体用バンド１Ａのように、腰ｋから左右の膝ｈを介して左右の足にかけての身体部位に装着して使用される身体用バンド１Ａとして適用可能である。また、図４に示す第２の実施の形態の腰ｋから左右の膝ｈを介して左右の足にかけての身体部位に装着して使用される身体用バンド１Ｂとして適用可能である。この第２の実施の形態の腰から左右の膝ｈを介して左右の足にかけての身体部位に装着して使用される身体用バンド１Ｂとしては、つま先ｔを覆うものであるが、つま先ｔに向かうに従ってその周方向の締め付け力が強くなるようになっている。また、図５に示す第３の実施の形態の腰から左右の膝下にかけての身体部位に装着して使用される身体用バンド（タイツ）１Ｃとして適用可能である。これら第１から第３の実施の形態の身体用バンド１Ａ〜１Ｃは、関節部ｋ，ｈを２箇所覆うように形成されている。第１の実施の形態１Ａでは、膝ｈと足首ｉの関節部であり、第２の実施の形態１Ｂでは、腰ｋと膝ｈの関節部ｋ，ｈであり、第３の実施の形態１Ｃでは、腰ｋと膝ｈであるが、このように２箇所の関節部ｋ，ｈを覆うことで、一方の関節部ｋのずれが他方側の関節部ｈまで伝播しなくなるためと、腰ｋから膝ｈを介してつま先ｔまで、又は、膝上から足首ｉを介してつま先ｔまでというように、長手方向に延長したことから、横方向のずれが生じ難くなる。
【００２７】
また、上記身体用バンド１Ａの他の例としては、足の踵を通す穴５を形成して装着するようにしても良い（図７）。
本実施の形態の身体用バンド１Ａ，１Ｂ，１Ｃによれば、上記凸状部３が、伸縮性を有する凹凸状の編物に、伸縮性を有する糸を所定間隔を置いて編み込んでいくことにより設けられるため、凹凸状の編物本来の伸縮性を、上記凸状部３が更に補う構造となり、編物自体の構成糸を変更することなく、その伸縮性を向上させることができ、この結果、上記身体部位に好適な身体用バンド１Ａ，１Ｂ，１Ｃとすることができる。
【００２８】
本実施の形態の身体用バンド１Ａ，１Ｂ，１Ｃによれば、腰ｋや膝ｈや足首ｉの伸張する部分と収縮する部分が同時に現れる身体部位のサポータとして使用した場合であっても、各部位の伸縮に十分に対応することができるため、長時間連続して使用しても、最初の装着位置からずれることなく、サポータとしての役割を十分に果たすことができる。また、伸張した状態と伸張状態を解除した状態とでその厚さやデザインの異なる身体用バンド１Ａ，１Ｂ，１Ｃとなり、ファッション性が高められる。さらに、凸状部３の色を任意に調節することで、多彩でファッション的にも優れた身体用バンド１Ａ，１Ｂ，１Ｃとすることが可能となる。
【００２９】
以上、上記各実施の形態では、それぞれ全体が、所定間隔をおいて凸状部と凹状部が交互に表れ、伸張状態を解除すると、隆起した凸状部と凸状部が接触してそれ以上には収縮しない構造になっているもので説明したが、必ずしも全部に施す必要はなく、特に関節部分以外の部分では通常の丸編みとしても良い。また、第３の実施の形態としては、つま先まで及ばず、つま先が開放されたような実施形態とすることも可能である。
【符号の説明】
【００３０】
１Ａ，１Ｂ，１Ｃ 身体用バンド 、Ｚ  基本構造の身体用バンド、
２ 伸縮性を強化する糸（ゴム糸等）、
３ 凸状部、３ａ 身体用バンドの一方端部の凸状部、
４ 凹状部、４ａ  切れ込み、
５ 穴、
ｋ  腰、ｔ  つま先、ｈ  膝、ｉ  足首
【図１】
0003173337.tif 000003
【図２】
0003173337.tif 000004
【図３】
0003173337.tif 000005
【図４】
0003173337.tif 000006
【図５】
0003173337.tif 000007
【図６】
0003173337.tif 000008
【図７】
0003173337.tif 000009
【図８】
0003173337.tif 000010